(57)【要約】【課題】保持片が板厚分側方に変位したとしても、保持片と保持凹部の係止状態を維持し、外壁のめくれを防ぐ。【解決手段】本明細書によって開示される端子１０は、角筒状をなして前後方向に開口した箱部２０を備えた板材からなる端子１０であって、箱部２０は、底壁３０と、底壁３０の両側縁３１から立ち上がる一対の側壁４０、５０と、一方の側壁４０の上縁４１から他方の側壁５０に向けて延びる天井壁６０と、他方の側壁５０の上縁５１から天井壁６０の上面に沿って一方の側壁４０に向けて延びる外壁７０とを備えて構成され、外壁７０の延出端部７３Ｆには保持片７４Ｆが突出して設けられ、一方の側壁４０の上端部には保持片７４Ｆが内部に収容される保持凹部４５Ｆが設けられており、保持片７４Ｆの一部が箱部２０の内部に位置している構成とした。【選択図】図１
2018185960.tif 000002
【特許請求の範囲】
【請求項１】
角筒状をなして前後方向に開口した箱部を備えた板材からなる端子であって、
前記箱部は、底壁と、前記底壁の両側縁から立ち上がる一対の側壁と、一方の前記側壁の上縁から他方の前記側壁に向けて延びる天井壁と、他方の前記側壁の上縁から前記天井壁の上面に沿って一方の前記側壁に向けて延びる外壁とを備えて構成され、
前記外壁の延出端部には保持片が突出して設けられ、一方の前記側壁の上端部には前記保持片が内部に収容される保持凹部が設けられており、
前記保持片の一部が前記箱部の内部に位置している端子。
【請求項２】
前記保持片の突出端部が前記箱部の内部に位置するように前記保持片の基端部が前記箱部の内部側に曲げられており、前記保持片の後縁には被規制部が後方に突出して設けられ、前記保持凹部の後縁には前記被規制部が下方から係止可能な規制部が後方に凹んで設けられている請求項１に記載の端子。
【請求項３】
前記保持片の突出端部は、下端面と、前記下端面の内側に配された内側面と、前記下端面の外側に配された外側面とを有し、前記下端面と前記内側面の角部は前記保持凹部を超えて前記箱部の内部に位置し、前記外側面は前記保持凹部の内部に位置している請求項１または請求項２に記載の端子。
【請求項４】
前記保持凹部は、前記保持片の下端面と対向する対向面を有し、前記対向面と一方の前記側壁の外側面との角部から前記保持片の角部までの距離は、前記保持片の板厚以上とされている請求項３に記載の端子。
【請求項５】
前記保持片の内側面には、前記箱部の内部側に少なくとも板厚分突出した突出部が設けられており、前記突出部は前記天井壁に下方から係止可能とされている請求項１に記載の端子。
【発明の詳細な説明】
【技術分野】
【０００１】
本明細書によって開示される技術は、端子に関する。
【背景技術】
【０００２】
従来、箱状の本体部を有する端子として、特開２００４−３１０３４号公報（下記特許文献１）に記載の雌端子金具が知られている。この雌端子金具は、略角筒状をなす本体部と、電線の端末に圧着接続可能なバレル部とを前後につなげた構成とされている。本体部は、底壁と、底壁の両側縁から立ち上がる一対の側壁と、底壁と対向する天井壁と、天井壁の外側に重ね合わせられる外壁とから構成されている。外壁の側縁には底壁側へ突出する前部保持片が設けられ、側壁には前部保持片が側方から嵌合可能な前部保持溝が設けられている。これにより、例えば電線が後方へ引っ張られる等して外壁を前方へ変位させるような力が作用した場合に、前部保持片の前縁が前部保持溝の前縁に後方から係止することにより外壁がめくれて開き変形することを抑制できる。
【先行技術文献】
【特許文献】
【０００３】
【特許文献１】特開２００４−３１０３４号公報
【発明の概要】
【発明が解決しようとする課題】
【０００４】
しかしながら、上記の雌端子金具では前部保持片の前縁と前部保持溝の前縁との係止代が板厚分しかないため、前部保持片が本体部の外部側に向けて板厚以上変形した場合には、係止状態を維持できなくなり、外壁がめくれて開き変形することを許容してしまう。
【課題を解決するための手段】
【０００５】
本明細書によって開示される端子は、角筒状をなして前後方向に開口した箱部を備えた板材からなる端子であって、前記箱部は、底壁と、前記底壁の両側縁から立ち上がる一対の側壁と、一方の前記側壁の上縁から他方の前記側壁に向けて延びる天井壁と、他方の前記側壁の上縁から前記天井壁の上面に沿って一方の前記側壁に向けて延びる外壁とを備えて構成され、前記外壁の延出端部には保持片が突出して設けられ、一方の前記側壁の上端部には前記保持片が内部に収容される保持凹部が設けられており、前記保持片の一部が前記箱部の内部に位置している構成とした。
【０００６】
このような構成によると、保持片が板厚分側方に変位したとしても、依然として保持片が保持凹部の内部に位置するため、保持片と保持凹部の係止状態を維持することができる。
【０００７】
本明細書によって開示される端子は、以下の構成としてもよい。
前記保持片の突出端部が前記箱部の内部に位置するように前記保持片の基端部が前記箱部の内部側に曲げられており、前記保持片の後縁には被規制部が後方に突出して設けられ、前記保持凹部の後縁には前記被規制部が下方から係止可能な規制部が後方に凹んで設けられている構成としてもよい。
【０００８】
外壁に対して後方から力が作用した場合、通常、後方からの力に対して直交する折曲線を軸として外壁がめくれようとし、外壁とともに保持片が前方に変位しつつ上方に変位しようとする。ここで、上記の構成によると、被規制部が規制部に対して下方から係止することになるため、保持片の上方への変位を抑制し、もって外壁のめくれを防ぐことができる。
【０００９】
また、後方からの力に対して斜め方向に延びる折曲線を軸として外壁がめくれようとした場合、外壁とともに保持片が前方に変位すると同時に側方にも変位することになる。ここで、仮に保持片が板厚分だけ側方に変位しても、上記の構成によると、被規制部が依然として規制部と係止可能な位置に留まるため、被規制部が規制部に対して下方から係止することで、保持片の上方への変位を抑制し、もって外壁のめくれを防ぐことができる。
【００１０】
前記保持片の突出端部は、下端面と、前記下端面の内側に配された内側面と、前記下端面の外側に配された外側面とを有し、前記下端面と前記内側面の角部は前記保持凹部を超えて前記箱部の内部に位置し、前記外側面は前記保持凹部の内部に位置している構成としてもよい。
【００１１】
保持片の一部を箱部の内部に位置させるには、箱部の内部に嵌合する相手端子との干渉を回避できる範囲内で、保持片の突出端部が箱部の内部に突出する寸法を考慮する必要がある。そこで、上記の構成によると、保持片の外側面が保持凹部の内部に位置しているから、保持片の突出端部が箱部の内部に突出する寸法を最小限に留めることができる。さらに、保持片の下端面と内側面との角部が保持凹部を超えて箱部の内部に位置しているから、保持片が板厚分側方に変位したとしても、保持片の突出端部を保持凹部の内部に留めることができる。
【００１２】
前記保持凹部は、前記保持片の下端面と対向する対向面を有し、前記対向面と一方の前記側壁の外側面との角部から前記保持片の角部までの距離は、前記保持片の板厚以上とされている構成としてもよい。
このような構成によると、保持片が板厚分側方に変位したとしても、保持片の角部を保持凹部の内部に留めることができる。
【００１３】
前記保持片の内側面には、前記箱部の内部側に少なくとも板厚分突出した突出部が設けられており、前記突出部は前記天井壁に下方から係止可能とされている構成としてもよい。
このような構成によると、外壁がめくれようとした場合に、突出部が天井壁に下方から係止することで、外壁のめくれを防ぐことができる。
【発明の効果】
【００１４】
本明細書によって開示される端子によれば、保持片が板厚分側方に変位したとしても、保持片と保持凹部の係止状態を維持し、外壁のめくれを防ぐことができる。
【図面の簡単な説明】
【００１５】
【図１】実施形態１において端子の左斜め前方から見た端子の斜視図
【図２】端子の右斜め前方から見た端子の斜視図
【図３】端子の正面図
【図４】端子の側面図
【図５】端子の平面図
【図６】図３におけるＡ−Ａ線断面図
【図７】図６のＢ−Ｂ線の位置で切断した端子の断面図
【図８】図６のＣ−Ｃ線の位置で切断した端子の断面図
【図９】被規制部が規制部に対して下方から係止した状態を示した側面図
【図１０】実施形態２における端子を図７の切断位置で切断した断面図
【図１１】実施形態２における端子を図８の切断位置で切断した断面図
【図１２】被規制部が規制部に対して下方から係止した状態を示した断面図
【発明を実施するための形態】
【００１６】
＜実施形態１＞
実施形態１を図１から図９の図面を参照しながら説明する。実施形態１における端子１０は雌端子であって、図１および図２に示すように、図示しない雄端子に接続される箱部２０と、箱部２０の後方に連なって設けられた電線接続部８０（図３および図４参照）とを備えて構成されている。電線接続部８０は、図示しない電線の芯線に圧着されるワイヤバレル８１と、絶縁被覆に圧着されるインシュレーションバレル８２とを有している。端子１０は導電性のよい金属製の板材からなり、箱部２０は角筒状をなして前後方向に開口した形態とされている。
【００１７】
箱部２０は、図３に示すように、底壁３０と、底壁３０の両側縁３１から立ち上がる一対の側壁４０、５０と、一方の側壁４０の上縁４１から他方の側壁５０に向けて側方に延びる天井壁６０と、他方の側壁５０の上縁５１から一方の側壁４０に向けて側方に延びる外壁７０とを備えて構成されている。外壁７０は、図１に示すように、箱部２０の前端側と後端側とに分かれて配されている。前側の外壁７０には、下方に叩き出された突当部７１Ｆが設けられており、突当部７１Ｆが天井壁６０の上面に当接している。外壁７０は、突当部７１Ｆの突出寸法に相当するクリアランスを有して天井壁６０の上面に沿って配されている。後側の外壁７０にも、突当部７１Ｆと同様の突当部７１Ｒが設けられている。
【００１８】
前側の外壁７０における突当部７１の後方には、図示しないハウジングに設けられたランス９０（図９参照）が後方から係止可能な係止突部７２Ｆが設けられている。係止突部７２Ｆは、外壁７０の一部を上方に叩き出すことによって形成されている。端子１０がハウジングの内部に挿入されると、ランス９０が係止突部７２Ｆに後方から係止することで端子１０がハウジングに保持される。後側の外壁７０にも、係止突部７２Ｆと同様の係止突部７２Ｒが設けられている。ただし、前側の係止突部７２Ｆは、予めスリットを設けておいてから叩き出しを行うことによって形成されている。
【００１９】
前側の外壁７０の延出端部７３Ｆには、前側保持片７４Ｆが下方に突出して設けられている。一方、後側の外壁７０の延出端部７３Ｒには、後側保持片７４Ｒが下方に突出して設けられている。後側保持片７４Ｒは、一方の側壁４０と平行をなすようにして配されているのに対して、前側保持片７４Ｆの基端部は、突出端部が箱部２０の内部側を向くようにして内向きに曲げられている。
【００２０】
一方の側壁４０の上端部には、前側保持片７４Ｆが内部に収容される前側保持凹部４５Ｆと、後側保持片７４Ｒが内部に収容される後側保持凹部４５Ｒとが前後方向に分かれて設けられている。
【００２１】
図４に示すように、前側保持片７４Ｆの後縁における下端部には被規制部７６が後方に突出して設けられている。一方、前側保持凹部４５Ｆの後縁には被規制部７６が下方から係止可能な規制部４７が後方に凹んで設けられている。被規制部は規制部４７の内部に収容されている。
【００２２】
図７に示すように、前側保持片７４Ｆの一部は箱部２０の内部に位置している。より詳細には、前側保持片７４Ｆの突出端部は、下端面７４Ｆ１と、下端面７４Ｆ１の内側に配された内側面７４Ｆ２と、下端面７４Ｆ１の外側に配された外側面７４Ｆ３とを有し、下端面７４Ｆ１と内側面７４Ｆ２の角部７４Ｆ４は前側保持凹部４５Ｆを超えて箱部２０の内部に位置し、外側面７４Ｆ３は前側保持凹部７５の内部に位置している。前側保持片７４Ｆの角部７４Ｆ４は、一方の側壁４０の内側面４４からの突出高さが前側保持片７４Ｆの板厚以内となるように配されている。さらに詳細には、前側保持片７４Ｆの下端面７４Ｆ１は下方に突出する山形をなし、その下端７４Ｆ５が上下方向において一方の側壁４０の内側面４４と揃う位置に配されている。
【００２３】
前側保持凹部４５Ｆは、前側保持片７４Ｆのテーパ面７４Ｆ５と対向する対向面４５Ｆ１を有し、対向面４５Ｆ１と一方の側壁４０の外側面４２との角部４３から前側保持片７４Ｆの角部７４Ｆ４までの距離は、前側保持片７４Ｆの板厚以上とされている。このため、前側保持片７４Ｆを板厚分側方に変位させても、前側保持片７４Ｆの角部７４Ｆ４が前側保持凹部４５Ｆの内部に位置することになる。
【００２４】
図９は、電線が後方に強く引っ張られることで前側保持片７４Ｆが変形した様子を示している。電線が引っ張られると、電線に接続された端子１０が後方に引っ張られ、前側係止突部７２Ｆがランス９０によって前方に押し込まれるとともに外壁７０に対して後方から力が作用する。
【００２５】
外壁７０に対して後方から力が作用すると、通常、後方からの力に対して直交する折曲線Ｌ１（図５参照）を軸として前側の外壁７０が上方にめくれようとし、前側の外壁７０とともに前側保持片７４Ｆが前方に変位しつつ上方に変位しようとする。このとき、図９に示すように、前側保持片７４Ｆの前縁が前側保持凹部４５Ｆの前縁に当接することで前側保持片７４Ｆの前方への変位が規制される。さらに、前側保持片７４Ｆが前方に押し込まれると、前側保持片７４Ｆの前縁と前側保持凹部４５Ｆとの当接部Ｃ１を中心として前側の外壁７０が上方に変位しようとする。すると、被規制部７６が規制部４７に対して下方から当接し、この当接部Ｃ２において互いに係止することになるため、前側保持片７４Ｆの上方への変位を抑制し、もって外壁７０のめくれを防ぐことができる。
【００２６】
ところが、後方からの力に対して斜め方向に延びる折曲線Ｌ２（図５参照）を軸として外壁７０がめくれようとした場合、外壁７０とともに前側保持片７４Ｆが前方に変位すると同時に側方（図８の矢線Ｄの方向）にも変位する。しかしながら、前側保持片７４Ｆの突出端部は予め箱部２０の内部側に配されているため、前側保持片７４Ｆが板厚分だけ側方に変位しても、被規制部７６が依然として規制部４７と係止可能な位置に留まるため、図９に示すように、当接部Ｃ２において被規制部７６が規制部４７に対して下方から係止することで、前側保持片７４Ｆの上方への変位を抑制し、もって外壁７０のめくれを防ぐことができる。
【００２７】
以上のように実施形態１では、前側保持片７４Ｆが板厚分側方に変位したとしても、依然として前側保持片７４Ｆが前側保持凹部４５Ｆの内部に位置するため、前側保持片７４Ｆと前側保持凹部４５Ｆの係止状態を維持することができる。
【００２８】
前側保持片７４Ｆの突出端部が箱部２０の内部に位置するように前側保持片７４Ｆの基端部が箱部２０の内部側に曲げられており、前側保持片７４Ｆの後縁には被規制部７６が後方に突出して設けられ、前側保持凹部４５Ｆの後縁には被規制部７６が下方から係止可能な規制部４７が後方に凹んで設けられている構成としてもよい。
【００２９】
外壁７０に対して後方から力が作用した場合、通常、後方からの力に対して直交する折曲線Ｌ１を軸として外壁７０がめくれようとし、外壁７０とともに前側保持片７４Ｆが前方に変位しつつ上方に変位しようとする。ここで、上記の構成によると、被規制部７６が規制部４７に対して下方から係止することになるため、前側保持片７４Ｆの上方への変位を抑制し、もって外壁７０のめくれを防ぐことができる。
【００３０】
また、後方からの力に対して斜め方向に延びる折曲線Ｌ２を軸として外壁７０がめくれようとした場合、外壁７０とともに前側保持片７４Ｆが前方に変位すると同時に側方にも変位することになる。ここで、仮に前側保持片７４Ｆが板厚分だけ側方に変位しても、上記の構成によると、被規制部７６が依然として規制部４７と係止可能な位置に留まるため、被規制部７６が規制部４７に対して下方から係止することで、前側保持片７４Ｆの上方への変位を抑制し、もって外壁７０のめくれを防ぐことができる。
【００３１】
前側保持片７４Ｆの突出端部は、下端面７４Ｆ１と、下端面７４Ｆ１の内側に配された内側面７４Ｆ２と、下端面７４Ｆ１の外側に配された外側面７４Ｆ３とを有し、下端面７４Ｆ１と内側面７４Ｆ２の角部７４Ｆ４は前側保持凹部４５Ｆを超えて箱部２０の内部に位置し、外側面７４Ｆ３は前側保持凹部４５Ｆの内部に位置している構成としてもよい。
【００３２】
前側保持片７４Ｆの一部を箱部２０の内部に位置させるには、箱部２０の内部に嵌合する雄端子との干渉を回避できる範囲内で、前側保持片７４Ｆの突出端部が箱部２０の内部に突出する寸法を考慮する必要がある。そこで、上記の構成によると、前側保持片７４Ｆの外側面７４Ｆ３が前側保持凹部４５Ｆの内部に位置しているから、前側保持片７４Ｆの突出端部が箱部２０の内部に突出する寸法を最小限に留めることができる。さらに、前側保持片７４Ｆの下端面７４Ｆ１と内側面７４Ｆ２との角部７４Ｆ４が前側保持凹部４５Ｆを超えて箱部２０の内部に位置しているから、前側保持片７４Ｆが板厚分側方に変位したとしても、前側保持片７４Ｆの突出端部を前側保持凹部４５Ｆの内部に留めることができる。
【００３３】
前側保持凹部４５Ｆは、前側保持片７４Ｆの下端面７４Ｆ１と対向する対向面４５Ｆ１を有し、対向面４５Ｆ１と一方の側壁４０の外側面４２との角部４３から前側保持片７４Ｆの角部７４Ｆ４までの距離は、前側保持片７４Ｆの板厚以上とされている構成としてもよい。
このような構成によると、前側保持片７４Ｆが板厚分側方に変位したとしても、前側保持片７４Ｆの角部７４Ｆ４を前側保持凹部４５Ｆの内部に留めることができる。
【００３４】
＜実施形態２＞
次に、実施形態２を図１０から図１２の図面を参照しながら説明する。実施形態２の端子１１０は、実施形態１の端子１０の構成の一部を変更したものであって、実施形態１と共通する構成については同一の符号を用いるものとし、その説明を省略するものとする。
【００３５】
実施形態２の端子１１０の箱部１２０では、図１１に示すように、実施形態１の前側保持片７４Ｆに代えて、一方の側壁４０と平行をなす前側保持片１７４Ｆが設けられている。前側保持片１７４Ｆの後端部には、箱部２０の内部側に少なくとも板厚分突出した突出部１７８が設けられている。突出部１７８は、前側保持片１７４Ｆの内側面１７４Ｆ２から内方に突出する形態をなしている。突出部１７８は、天井壁６０の下方に位置している。このため、図１２に示すように、外壁７０がめくれようとした場合に、突出部１７８が天井壁６０に下方から係止することで、外壁７０のめくれを防ぐことができる。
【００３６】
＜他の実施形態＞
本明細書によって開示される技術は上記記述及び図面によって説明した実施形態１、２に限定されるものではなく、例えば次のような種々の態様も含まれる。
（１）実施形態１では前側保持片７４Ｆの基端部が内向きに曲げられているものを例示したが、曲げる箇所は基端部でなくてもよい。
【００３７】
（２）実施形態１では被規制部７６と規制部４７が設けられているものの、被規制部７６と規制部４７が設けられていないものとしてもよい。
【００３８】
（３）実施形態１では前側保持片７４Ｆの突出端部における外側面７４Ｆ３が前側保持凹部４５Ｆの内部に配されているものを例示したが、外側面７４Ｆ３が箱部２０の内部に配されているものとしてもよい。
【００３９】
（４）実施形態１では対向面４５Ｆ１と一方の側壁４０の外側面４２との角部４３から前側保持片７４Ｆの角部７４Ｆ４までの距離が、前側保持片７４Ｆの板厚以上とされているものを例示したが、当該距離は板厚以下でもよい。
【００４０】
（５）実施形態２では突出部１７８が前側保持片１７４Ｆの後端部に設けられているものの、前側保持片１７４Ｆの前端部に突出部を設けてもよい。
【符号の説明】
【００４１】
１０…端子
２０…箱部
３０…底壁
３１…側縁
４０…一方の側壁
４１…上縁
４２…外側面
４３…角部
４５Ｆ…前側保持凹部
４５Ｆ１…対向面
４７…規制部
５０…他方の側壁
５１…上縁
６０…天井壁
７０…外壁
７３Ｆ…延出端部
７４Ｆ…前側保持片
７４Ｆ１…下端面
７４Ｆ２…内側面
７４Ｆ３…外側面
７４Ｆ４…角部
７６…被規制部
１１０…端子
１２０…箱部
１７４Ｆ…前側保持片
１７４Ｆ２…内側面
１７８…突出部
【図１】
2018185960.tif 000003
【図２】
2018185960.tif 000004
【図３】
2018185960.tif 000005
【図４】
2018185960.tif 000006
【図５】
2018185960.tif 000007
【図６】
2018185960.tif 000008
【図７】
2018185960.tif 000009
【図８】
2018185960.tif 000010
【図９】
2018185960.tif 000011
【図１０】
2018185960.tif 000012
【図１１】
2018185960.tif 000013
【図１２】
2018185960.tif 000014
【手続補正書】
【提出日】平成30年3月22日(2018.3.22)
【手続補正１】
【補正対象書類名】明細書
【補正対象項目名】００２２
【補正方法】変更
【補正の内容】
【００２２】
図７に示すように、前側保持片７４Ｆの一部は箱部２０の内部に位置している。より詳細には、前側保持片７４Ｆの突出端部は、下端面７４Ｆ１と、下端面７４Ｆ１の内側に配された内側面７４Ｆ２と、下端面７４Ｆ１の外側に配された外側面７４Ｆ３とを有し、下端面７４Ｆ１と内側面７４Ｆ２の角部７４Ｆ４は前側保持凹部４５Ｆを超えて箱部２０の内部に位置し、外側面７４Ｆ３は前側保持凹部４５Ｆの内部に位置している。前側保持片７４Ｆの角部７４Ｆ４は、一方の側壁４０の内側面４４からの突出高さが前側保持片７４Ｆの板厚以内となるように配されている。さらに詳細には、前側保持片７４Ｆの下端面７４Ｆ１は下方に突出する山形をなし、その下端７４Ｆ５が上下方向において一方の側壁４０の内側面４４と揃う位置に配されている。
【手続補正２】
【補正対象書類名】明細書
【補正対象項目名】００３５
【補正方法】変更
【補正の内容】
【００３５】
実施形態２の端子１１０の箱部１２０では、図１１に示すように、実施形態１の前側保持片７４Ｆに代えて、一方の側壁４０と平行をなす前側保持片１７４Ｆが設けられている。前側保持片１７４Ｆの後端部には、箱部１２０の内部側に少なくとも板厚分突出した突出部１７８が設けられている。突出部１７８は、前側保持片１７４Ｆの内側面１７４Ｆ２から内方に突出する形態をなしている。突出部１７８は、天井壁６０の下方に位置している。このため、図１２に示すように、外壁７０がめくれようとした場合に、突出部１７８が天井壁６０に下方から係止することで、外壁７０のめくれを防ぐことができる。